Podtech/llm-jp-corpus-v4-ja_patent huggingface dataset:
(57)【要約】      （修正有）【課題】一枚の皿の上に料理や傾き防止壁を作ってその場所へ紙コップを載せ、さらにその皿を持ちやすくして移動しながらでも食事が楽しめるようにする。【解決手段】紙の平皿１に紙コップ８を置く位置４を設け、予め指で押すと切り抜ける状態にしておく。また片上には折りしろ５−１、５−２、５−３を表示しておく。そと折りした片の先矢印部９は切り抜き７へ皿の下から差し込む。つまりコップを安定して置くためにコップ傾き防止壁６を皿の下部へ作るのを特長とするものである。さらに、皿を持ちやすいように予め下から親指を通す穴３を設け、他の指で下からしっかり皿を支える。また、皿の中には突起状の仕切り２を設けて、料理等、汁の流れ防止を図ったものである。【選択図】図１
0003119478.tif 000002
【実用新案登録請求の範囲】
【請求項１】
（イ）紙製の平皿（１）の中に突起状の仕切り（２）を作る。
（ロ）皿の一角に親指を下から通す穴（３）を設ける。
（ハ）紙コップ（８）を挿す位置に指で押し抜ける穴（４）ができるように予め切り込みを入れておく。
（ニ）（４）を押し抜く片上に「そと折り」（５）の表示をしておく。
（ホ）皿を使用する人が押し抜いた片のそと折り行程を行ったあと、予め切り抜いておく「下から差込」表示の切り抜き線（７）に、差込矢印部（９）を下から差し込み、コップ傾き防止壁（６）を作る。
以上の組み合わせと行程を取り入れた底の浅い紙の平皿。
【考案の詳細な説明】
【技術分野】
【０００１】  この考案は料理や紙のコップを一つの皿の中に置き、その皿を持ちやすくして場所を移動しながらでも飲食を楽しめるようにした紙製の平皿である。
【背景技術】
【０００２】  従来、平皿の中に仕切りのあるものはあったが、仕切りと併せて一枚の皿の中に指を通す穴があり、また付属品なしで紙コップも置けるお膳のような紙製の皿はなかった。
【考案の開示】
【考案が解決しようとする課題】
【０００３】  立食のパーティや花見、またはバーベキューなどで一般に使用しているペーパーの皿やホイールの皿は底の浅い平皿が多い。食事をするときには食器（皿）を片手に、そしてもう一方の手にコップを持つとそれを飲むことはできても食べることはできない不便さが生じる。故に食べるときにはコップをテーブル等の上に一時置くことになる。テーブル等の上は物が煩雑しているときが多く目を一時離したあとなど、置いた自分のコップはどれかわからなくなることがおおいという難点があった。
【課題を解決するための手段】
【０００４】  本考案は一枚の皿の上に料理や紙コップを載せ、さらにその皿を持ちやすくして移動しながらでも食事が楽しめるようにしたものである。以下、添付図面にもとづいて説明する。上記目的を達成するために、紙の平皿（１）に紙コップ（８）を置く位地（４）を設け、予め指で押すと切り抜ける状態にしておく。また片上には折りしろ（５−１）、（５−２）、（５−３）を表示しておく。そと折りした片の先矢印部（９）は切り抜き（７）へ皿の下から差し込む。つまりコップを安定して置くためにコップ傾き防止壁（６）を皿の下部へ作るのを特長とするものである。さらに、皿を持ちやすいように予め下から親指を通す穴（３）を設け、他の指で下からしっかり皿を支える。また、皿の中には突起状の仕切り（２）を設けて、料理等、汁の流れ防止を図ったものである。
【考案の効果】
【０００５】  腰の柔らかい紙の皿でも下から穴を通した親指で皿の上を押さえ、人差し指や中指、そして薬指や小指の各指で広範囲に皿の下を支えられることから、盛った食材と器が非常に安定したかたちで持ち歩き食することができる。また、コップ傾き防止壁を作る（これは皿を使用する人が作る）ことによって挿した紙コップは違和感なく収まる。皿の中には、突起状の仕切りを設けたためソース・醤油などの枠や、汁気のある食べ物とさっぱりとした食べ物が別々に一つの皿に盛ることができることによって、それぞれの素材を美味しく味わえるようになった。
【考案を実施するための最良の形態】
【０００６】  以上のことから、皿に盛った料理と飲み物（紙コップ）は一枚の皿の上にまとまる。皿には仕切りがあるため複数の料理が皿の中で混じることがなく、美味しくいただけ、また、自由に場所を移動しながらでも料理とコップがいつも手元にあるため手軽なパーティやバーベキューなどでの利用価値が相当に見込まれる。
【実施例】
【０００７】  この平皿には、まず紙コップを置く位置を設けた。その位置には予め指で押し抜けるようにしておき、また折りしろを表示しておく。折った先は切り抜き部へ差し込む。つまりコップを正常に置くためにコップ傾き防止壁を作るのである。これがこの皿の特長である。皿の縁の勾配を利用した傾き防止壁は皿を使用する人に作ってもらうことになるが、これがまた工作する気分になってかなり面白い。特に子供たちには大受である。次に皿をしっかりと持てるよう予め親指を通す穴を設けておく。親指を皿の下から上へ通して上から押さえ、下から手の平いっぱいで支える皿は奥まで支えられ安定感充分である。また皿の中には突起状の仕切りを設け、ソース・醤油などの枠や、汁気のある料理とさっぱりとした食べ物が別々に一つの皿に盛ることができることにより、それぞれの素材を美味しくいただけるようになった。
【図面の簡単な説明】
【０００８】
【図１】紙の平皿に紙コップを乗せた斜視図である。
【図２】図１、斜視図のＡ−Ｂ断面図である。
【図３】紙の平皿の平面図である。
【符号の説明】
【０００９】    （１）  紙の平皿（器）
（２）  突起状の仕切り
（３）  親指を通す切り抜き穴
（４）  紙コップを挿す位置（指で押し抜ける片）
（５）  そと折り表示（５−１）、（５−２）、（５−３）
（６）  コップ傾き防止壁
（７）  矢印部差込用切抜き線
（８）  紙コップ
（９）  矢印挿入先
【図１】
0003119478.tif 000003
【図２】
0003119478.tif 000004
【図３】
0003119478.tif 000005
(57)【要約】      （修正有）【課題】除雪作業における、ブレード部の雪面との滑り効果の向上、氷塊との摩擦による損傷を軽減、また、冬季の道路上に凍結防止を目的とする、氷解剤（塩化カルシウム）散布による、ブレード排雪面側に生じる腐食を抑えることができ、維持管理費用が軽減できる。【解決手段】ブレード部の素材に着目し、従来の単一圧延鋼板からステンレスクラッド鋼板（複合クラッド鋼板）を加工し、ブレード素材とする除排雪用プラウのブレード。【選択図】図３
0003119437.tif 000002
【実用新案登録請求の範囲】
【請求項１】
作業用車両を除雪汎用プラウとして使用する際、除排雪ブレード部において、左右のブレード排雪板に付着する雪及び氷に対して、付着しにくい滑面機能の獲得、及び冬季路面に使用する氷解剤から、耐腐食の高い機能を有することを特徴とした、ステンレスクラッド鋼板を素材とするブレード部。
【考案の詳細な説明】
【技術分野】
【０００１】本考案は、除雪汎用プラウの前進方向先端部に取付ける、アタッチメントである、ブレードの素材に関するものである。
【背景技術】
【０００２】従来、除雪汎用プラウの前進方向先端には、目的別に各種アタッチメントが用意されるが、その中でも、除雪ブレードは冬季において、多用されるアタッチメントであり、その素材は単一素材であり、圧延鋼板材を基に羽状に左右対称に加工製作される。【０００３】しかし、ブレード部は雪面との摩擦、氷塊との摩擦、道路上に散布される氷解剤（塩化カルシューム）により、徐々に摩滅、損傷、腐食を生じ、一シーズンの使用の結果、翌年の冬季にはブレード板としての、機能の維持、剛性に影響がでるばかりか、安全な除排雪には問題がある。
【考案の開示】
【考案が解決しようとする課題】
【０００４】冬季の除雪作業に際し、前述の課題を解決するため、種々の提案がなされているが、いずれもブレード部に、耐腐食性に優れた塗料の塗布が主流であり、ブレード圧延鋼板材への一過的な保護皮膜の生成を目的として、汎用塗布されているが、塗料の厚さ、塗料の塗布量、塗料の材質、塗料の品質により、ブレード部の保護という点において、大きなバラツキがあり、ブレード部の耐久性に支障をきたすなど欠点がある。
【課題を解決するための手段】
【０００５】前記、課題を解決するため、本考案に係る技術的手段として、ブレード部の素材に着目し、従来の単一圧延鋼板からステンレスクラッド鋼板（複合クラッド鋼板）を加工し、ブレード素材とする製作方法を特徴とする。【０００６】ステンレスクラッド鋼板は、二層になっており、片面はステンレス素材、もう一方の面は圧延鋼板を素材としており、二層構造により形成されて、ＪＩＳ規格を準拠した、ステンレス面では、圧延鋼材に比較して、耐薬品性、耐摩滅性又、排雪面の滑り効果の向上を獲得できる特徴を有する。【０００７】なお、ステンレスクラッド鋼板の特徴を活かし、ブレード排雪面側をステンレス素材が面し、排雪に関与しない裏面側を圧延鋼板素材になるように加工製作する。
【考案の効果】
【０００８】本考案によると、除雪汎用プラウのブレード排雪側面に、ステンレス素材が接することから、除雪作業における、ブレード部の雪面との滑り効果の向上、氷塊との摩擦による損傷を軽減、また、冬季の道路上に凍結防止を目的とする、氷解剤（塩化カルシューム）散布による、ブレード排雪面側に生じる腐食を抑えることができる。【０００９】また、従来、ブレード部には毎年冬季除雪シーズン前に施す、塗料の塗布作業は必要としなくなり、維持管理費用が軽減できた。
【考案を実施するための最良の形態】
【実施例】
【００１０】以下、本考案の実施形態を図を参照して説明する。図１には、本考案に係る、除雪汎用プラウ車両の全体側面Ｘが示されており、前進方向前部に除雪ブレード部Ｙが装着されており、本考案はこのブレード部に関する考案である。【００１１】また、図２には、本考案、ブレード部の正面図１、側面図２の全体図が示されており、左右対称のブレード１１、１２があることを示すものである。【００１２】本考案に係る、ブレード素材構造であるが、図３により説明すると、ステンレスクラッド鋼板（複合クラッド鋼板）は、左右のブレード１１、１２の全体素材を構成し、素材断面の拡大図Ａにみるように、排雪面となる面はステンレス素材３３、裏面は圧延鋼材４４の二層構造となっている。
【産業上の利用可能性】
【００１３】本考案における、除雪汎用プラウのブレード部素材構造に、ステンレスクラッド鋼板（複合クラッド鋼板）を取入ることにより、加工製作したブレード部は、耐摩滅、耐薬品効果等が獲得でき、維持管理が簡便であり、しかも、管理コスト削減が確実に獲得実現できる。【００１４】なお、従来の単一圧延鋼板のみにて加工・製作するブレードと、ステンレスクラッド鋼板（複合クラッド鋼板）による加工・製作を比較しても、その製作過程、加工時間いずれも変わらず、製作作業時間に変化はなかった。
【図面の簡単な説明】
【００１５】
【図１】除雪汎用プラウのブレード装着時の側面図
【図２】ブレード部の正面及び側面図
【図３】ブレードの素材構造を説明する断面図
【符号の説明】
【００１６】  Ａ  ブレード素材構造を示す拡大断面図
Ｘ  除雪汎用プラウの車両全体側面図
Ｙ  除雪汎用プラウに装着されたブレード部の側面図
１  ブレード部の正面図
２  ブレード部の側面図
１１  前進方向左側ブレード
１２  前進方向右側ブレード
３３  ブレード複合クラッド鋼板素材のステンレス素材
４４  ブレード複合クラッド鋼板素材の圧延鋼板素材
【図１】
0003119437.tif 000003
【図２】
0003119437.tif 000004
【図３】
0003119437.tif 000005
【手続補正書】
【提出日】平成17年11月9日(2005.11.9)
【手続補正１】
【補正対象書類名】実用新案登録請求の範囲
【補正対象項目名】全文
【補正方法】変更
【補正の内容】
【実用新案登録請求の範囲】
【請求項１】
作業用車両を除排雪汎用プラウとして使用する際、左右の除排雪ブレードにステンレスクラッド鋼板（ステンレスと圧延鋼板の合わせ金属板）素材を用い、除排雪ブレード板凹部内側をステンレス面とすることにより、ブレード板に付着する氷雪に対して滑面機能を有し、冬季路面に散布される氷解剤からの耐腐食効果を獲得でき、除排雪ブレード板凹部外側は圧延鋼材面とすることにより、除排雪ブレード板全体の強度確保を維持する、ステンレスクラッド鋼板を素材とすることを特徴とする除排雪ブレード。
(57)【要約】      （修正有）【課題】穂先部分に圧力が掛かった際にスイッチが入り、電磁継電器が作動して電動リールを駆動するジョイント内スイッチ、押しボタン付電磁継電器の提供。【解決手段】釣ざおに、ジョイント内スイッチと導線を介して、押しボタン付電磁継電器と電動リールとバッテリの組み合わせである。【選択図】図１
0003119433.tif 000002
【実用新案登録請求の範囲】
【請求項１】
釣ざおの穂先に近い所に、ジョイント内スイッチを取り付け、魚信を電流に変え、導線により、押しボタン付電磁継電器に給電する装置。
【請求項２】
手元に設置した、押しボタン付電磁継電器より電動リールに給電する装置。
【考案の詳細な説明】
【考案の詳細な説明】
この考案は穂先部分に圧力が掛った際にスイッチが入り、電磁継電器が作動して電動リールを駆動する。  本考案は、釣場において、釣ざおを何本も仕掛ける際に、便利で効率も良く、家族で楽しめる。  本考案は既存の釣ざおに、穂先継ぎ部の内径又は外径に合った所で切断してパイプに２０ｍｍ〜５０ｍｍ程差込み、接着剤で固定する。導線は竿の内部、或は竿の外部に沿って、継ぎ竿はソケットを使って導線を延長する。又、胴体継ぎ部も、釣ざお本体の、切断した部分より、内径又は外径に合った所で、パイプに２０ｍｍ〜５０ｍｍ程差込み、接着剤で固定する。
【図面の簡単な説明】
【図１】釣ざおにジョイント内スイッチを設置し、導線を介して、電磁継電器と電動リールとバッテリの組み合わせである。
【図２】穂先継ぎ部に軸具を介して胴体継ぎ部と接続した斜視図である。
【図３】ジョイント内スイッチの内部、穂先継ぎ部と、反動バネの輪の中に軸具を通し、胴体継ぎ部を接続した側面図である。
【図４】反動バネの側面図である。
【図５】穂先継ぎ部と、反動バネを、軸具に通し、小型スイッチを接合した斜視図である。
【図６】市販の小型スイッチである。
【図７】穂先継ぎ部の斜視図である。
【図８】穂先継ぎ部の上面図である。
【図９】穂先継ぎ部の側面図である。
【図１０】穂先継ぎ部の後面図である。
【図１１】穂先継ぎ部の上面図である。
【図１２】胴体継ぎ部の斜視図である。
【図１３】胴体継ぎ部の側面図である。
【図１４】本考案の実施例を示す、押しボタン付電磁継電器の回路図である。
【図１５】本考案の実施例を示す、押しボタン付電磁継電器の部品組立配線図である。
【図１６】本考案の実施例を示す、押しボタン付電磁継電器の全体の後方斜視図である。
【図１７】本考案の実施例を示す、押しボタン付電磁継電器の全体の前方斜視図である。
【符号の簡単な説明】
１は穂先    ２は穂先継ぎ部    ３は軸具    ４はジョイント内スイッチ    ５は胴体継ぎ部    ６は釣ざお本体    ７は導線    ８は押しボタン付電磁継電器    ９は電動リール    １０は電池又はバッテリ    １１は反動バネ    １２は市販スイッチ    １３は感知板    １４はスイッチ取付部    １５は軸具穴    Ａは電源    Ｄは押しボタンスイッチ    Ｅは押しボタンスイッチ    Ｆは切・入スイッチ    Ｋは切・入スイッチ    Ｇは青ＬＥＤ    Ｒは赤ＬＥＤ    Ｈはリレースイッチ    Ｊはリレースイッチ    Ｉはリレースイッチ    Ｎはリレースイッチのコイル    Ｍは電動リール
【図１】
0003119433.tif 000003
【図２】
0003119433.tif 000004
【図３】
0003119433.tif 000005
【図４】
0003119433.tif 000006
【図５】
0003119433.tif 000007
【図６】
0003119433.tif 000008
【図７】
0003119433.tif 000009
【図８】
0003119433.tif 000010
【図９】
0003119433.tif 000011
【図１０】
0003119433.tif 000012
【図１１】
0003119433.tif 000013
【図１２】
0003119433.tif 000014
【図１３】
0003119433.tif 000015
【図１４】
0003119433.tif 000016
【図１５】
0003119433.tif 000017
【図１６】
0003119433.tif 000018
【図１７】
0003119433.tif 000019
【手続補正書】
【提出日】平成17年11月2日(2005.11.2)
【手続補正１】
【補正対象書類名】実用新案登録請求の範囲
【補正対象項目名】全文
【補正方法】変更
【補正の内容】
【実用新案登録請求の範囲】
【請求項１】
釣ざおの穂先に近い所に、ジョイント内スイッチを取り付け、魚信を電流に変え、導線により、押しボタン付電磁継電器に給電する装置。
【請求項２】
手元に設置した、押しボタン付電磁継電器により電動リールに給電する請求項１記載の装置。
(57)【要約】      （修正有）【課題】ゴルフのグリーン上でのボールマークにおいて、パッティングするまでの間ピン方向からボールマークの位置を見やすくするためのボールマークの提供。【解決手段】グリーン上に差し込まれるピン１０と、このピンの上端にヒンジ３を介して、起倒自在に取り付けられた平板状のマーク本体２０とでなり、而もマーク本体とピンとは折りたたんだ状態において重ね合わせるようにした。また、ピンをひらいた状に形成し、且つグリーン上の凸凹を修復する足片１０を備えた事を特徴とした。ピンの足片に孔、且つマーク本体に突起を夫々設けマーク本体と足片とが折りたたんで重ね合わされた際孔と突起とが嵌着した。マーク裏側に磁石１を取り付けて足片の折りたたむ状態を維持させるためのものである。【選択図】図３
0003119432.tif 000002
【実用新案登録請求の範囲】
【請求項１】
グリーン上に差し込まれるピンと、このピンの上端にヒンジを介して、起倒自在に取り付けられた平板状のマーク本体とでなり、而もマーク本体とピンとは折りたたんだ状態において重ね合わせるようにした事を特徴とした、ゴルフ用マーク。ピンをひらいた状に形成し、且つグリーン上の凸凹を修復する足片を備えた事を特徴とした。
ピンの足片に孔、且つマーク本体に突起を夫々設けマーク本体と足片とが折りたたんで重ね合わされた際孔と突起とが嵌着することとして、特徴とした。
マーク裏側の中央に磁石を取り付けて足片がこの磁石に引っ付くようにすることで収納に足片側がマーク裏側に固定するものである。
【考案の詳細な説明】
【技術分野】
【０００１】本発明は、ゴルフグリーン上でのボールマークとグリーン上の修理用具に関する。
【背景技術】
【０００２】特開２０００−５１４２１号
マークには、突起物があるのでかさばること、
【考案の開示】
【考案の解決しようとする課題】
【０００３】本考案は、ゴルフのグリーン上でのボールマークにおいて、パッティングするまでの間ピン方向からボールマークの位置を見やすくするためのボールマーク。
【考案の解決するための手段】
【０００４】以上の課題を解決するために本考案は、グリーン上では自分のボールの後ろ側にマーカーを付けて拾い上げます。このボールマークがわかりやすくするために平板事態が自在に立ち上がる事でピン方向から見やすくなり、自分のパッティングラインをそれできめる手がかりとして利用するためのゴルフマーカーです。
【考案の効果】
【０００５】（１）グリーン上に差し込まれるピンと、このピンの上端にヒンジを介して、起倒自在に取り付けられた平板状のマーク本体とでなり、而もマーク本体とピンとは折りたたんだ状態において重ね合わせるようにした事を特徴とした。
また、ピンをひらいた状に形成し、且つグリーン上の凸凹を修復する足片を備えた事を特徴とした。
ピンの足片に孔、且つマーク本体に突起を夫々設けマーク本体と足片とが折り畳んで重ね合わされた際孔と突起とが嵌着することとして、特徴とした。
マークの裏側に磁石をつけて足片の折りたとむ状態を維持さすためのものである。
【考案を実施するための最良の形態】
【０００６】以下本考案の実態の形態を示す図面に基づき説明する。
【実施例１】図１に示す、ゴルフマークは、正面にあたるマーク部分『２０』の円状の部分です。垂直に立てればピン方向からよく見える部分です。差し込み部分『１０』の部分が地面に差し込まれる部分です。
図２に示す、ゴルフマークは、裏側よりたとんだ状態にあたります。この状態のマーク部分『２０』と差し込み部分『１０』が重なっている状態です。マーク部分についている磁石が差し込み部分『１０』を引っ付けて止めています。
図３に示す、裏面図はこの状態でグリーンの凸凹を修復するためのものです。
図４に示す、側面図です。
図５に示す、上側マーク部分『２０』から見た図です。
図６に示す、下側差し込み部分『１０』から見た図です。
図７に示す、グリーン上でマークを差し込んでマーク部分『２０』を９０度起こした状態の図面です。ピン方向からマークの位置を見てパッティングラインを読むためのものです。又、グリーン上での凸凹の補修を行うものです。
【図面の簡単な説明】
【０００７】
【図１】正面からの図面です
【図２】裏面の降りたとんだ図面です。
【図３】裏面より差し込み部分を全開に広げた状態です。
【図４】横側から見た図面です。
【図５】上側から見た図面です。
【図６】下側から見た図面です。
【図７】グリーン上の断面図です。
【符号の説明】
【０００８】  １．    磁石部
３．    ヒンジ部
１０．  グリーン修複用部
２０．  本体マーク側部
Ｇ．    グリーン側
【図１】
0003119432.tif 000003
【図２】
0003119432.tif 000004
【図３】
0003119432.tif 000005
【図４】
0003119432.tif 000006
【図５】
0003119432.tif 000007
【図６】
0003119432.tif 000008
【図７】
0003119432.tif 000009
【手続補正書】
【提出日】平成17年11月8日(2005.11.8)
【手続補正１】
【補正対象書類名】実用新案登録請求の範囲
【補正対象項目名】全文
【補正方法】変更
【補正の内容】
【実用新案登録請求の範囲】
【請求項１】
（１）グリーン上に差し込まれるピンと、このピンの上端にヒンジを介して、起倒自在に取り付けられた平板状のマーク本体とでなり、而もマーク本体とピンとは折りたたんだ状態において重ね合わせるようにした事を特徴とし、
（２）ピンをひらいた状に形成し、且つグリーン上の凸凹を修復する足片を備えた事を特徴とし、
（３）ピンの足片に孔、且つマーク本体に突起を夫々設けマーク本体と足片とが折りたたんで重ね合わされた際孔と突起とが嵌着することとして、特徴とし、
（４）マーク裏側の中央に磁石を取り付けて足片がこの磁石に引っ付くようにすることで収納に足片側がマーク裏側に固定するものである、
以上からなるゴルフ用マーク。
(57)【要約】      （修正有）【課題】バケット部の内面の滑り効果の向上、土砂、肥料等の摩擦による損傷を軽減し、家畜の糞尿による、バケット内面側に生じる腐食を抑えることができ、維持管理費用を軽減できる。【解決手段】本考案に係る技術的手段として、バケット部の素材に着目し、従来の単一圧延鋼板からステンレスクラッド鋼板（複合クラッド鋼板）を加工し、バケット素材とする製作方法を特徴とする。【選択図】図３
0003119436.tif 000002
【実用新案登録請求の範囲】
【請求項１】
作業用車両に装着された、バケットにおいて、汚泥、土砂、氷雪、家畜の排泄物、肥料等に直接、接するバケット部において、滑面機能の獲得により、バケット面の清浄維持効果を有し、掬い取り運搬する作業において、耐腐食性の高い、素材構造を特徴とする、ステンレスクラッド鋼板を素材とするバケット部。
【考案の詳細な説明】
【技術分野】
【０００１】本考案は、作業用車両の前進方向先端部に取付ける、アタッチメントである、バケットの素材に関するものである。
【背景技術】
【０００２】従来、作業用車両の前進方向先端には、目的別に各種アタッチメントが用意されるが、その中でも、バケットは比較的、多用されるアタッチメントであり、その素材は単一素材であり、圧延鋼板材を基に箱状に加工製作される。【０００３】しかし、バケットの使用目的は多様であり、土木工事の土砂を削ったり、牧場においては家畜の糞尿堆肥物の積み上げに使用するなど、特に、バケット部への損傷および腐食を生じさせる作業が多い、一年間の使用の結果、翌年にはバケットとしての、機能の維持、剛性に影響がでるばかりか、安全な作業及び運搬には問題が生じる。
【考案の開示】
【考案が解決しようとする課題】
【０００４】作業用車両によるバケット使用に際し、前述の課題を解決するため、種々の提案がなされているが、いずれもバケット部に、耐腐食性に優れた塗料の塗布が主流であり、バケット圧延鋼板材への一過的な保護皮膜の生成を目的として、汎用塗布されているが、塗料の厚さ、塗料の塗布量、塗料の材質、塗料の品質により、バケット部の保護という点において、大きなバラツキがあり、バケット部の耐久性に支障をきたすなど欠点がある。
【課題を解決するための手段】
【０００５】前記、課題を解決するため、本考案に係る技術的手段として、バケット部の素材に着目し、従来の単一圧延鋼板からステンレスクラッド鋼板（複合クラッド鋼板）を加工し、バケット素材とする製作方法を特徴とする。【０００６】ステンレスクラッド鋼板は、二層になっており、片面はステンレス素材、もう一方の面は圧延鋼板を素材としており、二層構造により形成されて、ＪＩＳ規格を準拠した、ステンレス面では、圧延鋼材に比較して、耐薬品性、耐摩滅性又、バケット内面の滑り効果を向上させる特徴を有する。【０００７】なお、ステンレスクラッド鋼板の特徴を活かし、バケット内面側をステンレス素材が、外面側を圧延鋼板素材が、向くように加工製作する。
【考案の効果】
【０００８】本考案によると、作業車両のバケット内面側に、ステンレス素材が接することから、土木工事の土砂を削ったり、牧場においては家畜の糞尿堆肥物の積み上げに使用するなどの作業における、バケット部の内面の滑り効果の向上、土砂、肥料等の摩擦による損傷を軽減、また、家畜の糞尿による、バケット内面側に生じる腐食を抑えることができる。【０００９】また、従来、バケット部には毎年一定の期間に施す、塗料の塗布作業は必要としなくなり、維持管理費用が軽減できた。
【考案を実施するための最良の形態】
【実施例】
【００１０】以下、本考案の実施形態を図を参照して説明する。図１には、本考案に係る、作業用車両の全体側面Ｘが示されており、前進方向前部にバケット部Ｙが装着されており、本考案はこのバケット部に関する考案である。【００１１】また、図２には、本考案、バケット部の正面図１、側面図２の全体図が示すものである。【００１２】本考案に係る、バケット素材構造であるが、図３により説明すると、ステンレスクラッド鋼板（複合クラッド鋼板）は、バケット部の全体素材を構成し、素材断面の拡大図Ａにみるように、バケット内面側となる面はステンレス素材３３、外面側は圧延鋼材４４の二層構造となっている。
【産業上の利用可能性】
【００１３】本考案における、作業用車両のバケット部素材構造に、ステンレスクラッド鋼板（複合クラッド鋼板）を取入ることにより、加工製作したバケット部は、耐摩滅、耐薬品効果等が獲得でき、維持管理が簡便であり、しかも、管理コスト削減が確実に獲得実現できる。【００１４】なお、従来の単一圧延鋼板のみにて加工・製作するバケットと、ステンレスクラッド鋼板（複合クラッド鋼板）による加工・製作を比較しても、その製作過程、加工時間いずれも変わらず、製作作業時間に変化はなかった。
【図面の簡単な説明】
【００１５】
【図１】作業用車両のバケット装着時の側面図
【図２】バケット部の正面及び側面図
【図３】バケットの素材構造を説明する断面図
【符号の説明】
【００１６】  Ａ  バケット素材構造を示す拡大断面図
Ｘ  作業用車両の車両全体側面図
Ｙ  作業用車両に装着されたバケット部の側面図
１  バケット部の正面図
２  バケット部の側面図
３３  バケット複合クラッド鋼板素材のステンレス素材
４４  バケット複合クラッド鋼板素材の圧延鋼板素材
【図１】
0003119436.tif 000003
【図２】
0003119436.tif 000004
【図３】
0003119436.tif 000005
【手続補正書】
【提出日】平成17年11月9日(2005.11.9)
【手続補正１】
【補正対象書類名】実用新案登録請求の範囲
【補正対象項目名】全文
【補正方法】変更
【補正の内容】
【実用新案登録請求の範囲】
【請求項１】
作業用車両に装着された、バケットにおいて、ステンレスクラッド鋼板（ステンレスと圧延鋼板の合わせ金属板）素材を用い、バケット凹部内側をステンレス面とすることにより、汚泥、土砂、氷雪、家畜の排泄物、肥料からの耐腐食効果、滑面効果、清浄の簡便効果を得ることが出来、バケット凹部外側は圧延鋼材面とすることにより、バケット全体の強度確保を維持する、ステンレスクラッド鋼板を素材とすることを特徴とするバケット。
(57)【要約】【課題】  本考案の地中にある止水栓を開閉する時、左右のミスあるいは止水栓のキーの部分におさまりにくいので、楽に作業操作できるようにしたい。【解決手段】  開閉機の命とも云う所、一文字溝から十文字溝にしたのが特に良いと思う。土中でも電池により明るくし作業操作がしやすくミスがなくなる。【選択図】  図２
0003119411.tif 000002
【実用新案登録請求の範囲】
【請求項１】
止水栓開閉機の使用で開閉作用を乾電池の明るさで見やすくしミスがなくなる。
【考案の詳細な説明】
【技術分野】
【０００１】  下部の長穴に付属のライトを入れると先端がひかり暗い乙筺内でも容易に止水栓の開閉が出来ます。
先端が従来の一文字溝に比べ十文字溝になっているのでキーに合わせやすくなっています。
【背景技術】
【０００２】  現在の止水栓開閉機では止水栓のキーに容易に操作が出来なかった。
【考案の開示】
【考案が解決しようとする課題】
【０００３】  止水栓ボックスの中にある止水栓が容易にキーにおさまり開閉がスムーズになる。
【課題を解決するための手段】
【０００４】  止水栓ボックスの深さがまちまちで止水栓のキーを探すのが容易ではなかったが、らくらく開閉機は電池をつけることにより作動をしやすく出来ます
【考案の効果】
【０００５】  操作が容易になった事と、左右の廻し方も良く見えることでミスがなくなる。
【考案を実施するための最良の形態】
【０００６】  作業工程の中でミスがある事は市町村により開閉は左右違います。土中の止水栓が良く見えることにより安全です。
【実施例】
【０００７】  従来の開閉機との違いは一文字溝と十文字溝の溝の違いで止水栓キーにはまりやすい。電池によりボックス内が良く見える。
【産業上の利用可能性】
【０００８】  本考案の実施例は上述の如き構成になるものであるから止水栓の開閉作用を容易にする。
【図面の簡単な説明】
【０００９】本開閉機の構造図で有る。【図１】現在の開閉機です。
【図２】本考案の実施を示す構造図です。
【符号の説明】
【００１０】１．開閉機の本体
２．止水栓キーの溝を一文字から十文字
３．電池取付け部分
【図１】
0003119411.tif 000003
【図２】
0003119411.tif 000004
【手続補正書】
【提出日】平成17年8月5日(2005.8.5)
【手続補正１】
【補正対象書類名】実用新案登録請求の範囲
【補正対象項目名】全文
【補正方法】変更
【補正の内容】
【実用新案登録請求の範囲】
【請求項１】
先端部分を十文字の溝にしたことを特徴とする止水栓開閉機。
【請求項２】
小型ライトを本体下部の長穴に入れ、先端部分より明かりが出ることを特徴とする請求項１記載の止水栓開閉機。
【手続補正２】
【補正対象書類名】明細書
【補正対象項目名】全文
【補正方法】変更
【補正の内容】
【考案の詳細な説明】
【技術分野】
【０００１】  本考案は、先端部分を十文字の溝にし、付属の小型ライトを入れることが出来る長穴を本体下部に設けた止水栓開閉機である。
【背景技術】
【０００２】  現在の止水栓開閉機は先端部分は一文字であり、外部から明かりを用いたり、手探りで作業をしていた。
【考案の開示】
【考案が解決しようとする課題】
【０００３】  以上の技術によれば、乙筐内に暗く、止水栓頭部に開閉機先端を合わせる事が難しかった。本考案は、乙筐内を見易く、開閉機先端を合わせ易い止水栓開閉機を提供することを課題とする。
【課題を解決するための手段】
【０００４】  以上の課題を解決する為に、第一発明は先端部分を十文字の溝にし、止水栓頭部に合わせ易くなっている止水栓開閉機である。また、第二発明は、本体下部に長穴を設け、付属の小型ライトを入れることで先端より乙筐内に小型ライトの光が入り、見易くなっている止水栓開閉機である。
【考案の効果】
【０００５】  本考案の止水栓用らくらく開閉機は、先端部分を十文字の溝にし、付属の小型ライトを本体に挿入しその明かりで、乙筐内を見易くして止水栓頭部に先端部分を合わせ易い。
【考案を実施するための最良の形態】
【０００６】  この考案の一実施形態を図１に示す。
止水栓開閉機の本体は鉄製の管であり、本体１の下部には小型ライト２ａを入れる長穴２がある。２ａは脱着可能である。
先端部分３は、十文字の溝になっている。
【実施例】
【０００７】  この実施形態によれば、先端部分３の十文字の溝で止水栓頭部に合わせ易くなっている。
本体下部の長穴２に小型ライト２ａを入れ、先端部分より小型ライトの光で乙筐内を明るく見易くする。
【図面の簡単な説明】
【０００８】
【図１】本考案の止水栓用らくらく開閉機を示す正面図である。
【図２】本開閉機下部にあけた長穴と小型ライトの拡大図である。
【図３】本開閉機先端部分の十文字溝の正面図と平面図である。
【符号の説明】
【０００９】  １．開閉機本体
２．小型ライトが入る長穴
３．先端部分
【手続補正３】
【補正対象書類名】図面
【補正対象項目名】全図
【補正方法】変更
【補正の内容】
【図１】
0003119411.tif 000005
【図２】
0003119411.tif 000006
【図３】
0003119411.tif 000007
(57)【要約】      （修正有）【課題】手動でスロープを上げ下げすることにより、据付撤去をなくし、玄関が狭くならないようにする。【解決手段】ベース枠１を床５に埋め込む。上板２をちょう番３でベース枠１に取り付ける。ジャッキレバー４ベース枠１に取り付ける。ジャッキレバーの操作により、上板２を持ち上げスロープを作る。未使用時は、床面と平らにできる。【選択図】図１
0003119415.tif 000002
【実用新案登録請求の範囲】
【請求項１】
玄関の上框等の段差を解消するスロープであって、必要に応じて手動でスロープの上げ下げすることを、特徴とする。
【考案の詳細な説明】
【技術分野】
【００１】本考案は、玄関上框等の段差解消に取り付けられる、スロープに関する。
【背景技術】
【００２】従来、玄関上框等のスロープは、固定式では玄関が狭くなり、可動式でも据付、撤去が大変な手間と考えられる。
【考案の開示】
【考案が解決しようとする課題】
【００３】本考案は、手動でスロープを上げ下げすることにより、据付撤去をなくし、玄関が狭くならないようにすることである。
【課題を解決するための手段】
【００４】上述の目的を達成する本考案の手動式スロープは、必要に応じて手動でスロープを上げ下げできることが、特徴である。
【考案の効果】
【００５】以上説明したように本考案によれば、手動でスロープを上げ下げすることにより、玄関を狭くしたり、据付、撤去をなくすことが可能である。
【考案を実施するための最良の形態】
【００６】以下、本考案の実施の形態を図面に基づき説明する。【００７】図１〜２は本考案の形態に係り、図１は未使用時。図２は使用時。【００８】図１に示すように、ベース枠１を床５に埋め込む。上板２をちょう番３でベース枠１に取り付ける。ジャッキレバー４ベース枠１に取り付ける。【００９】図２に示すように、ジャッキレバー４を動かすことにより、上板２を持ち上げスロープにする。
【実施例】
【０１０】手動で簡単にスロープができ、未使用時には床面に納まるので、玄関の広さを確保でき、据付撤去の必要がない。【０１１】以上、本考案は実施の形態及び実施例を説明したが、本考案の範囲はこれに限定されるものでない。例えば、ベース枠、上板及びジャッキレバーの形態、床への取り付け方法など、状況に応じて適宜選択されるものである。
【産業上の利用可能性】
【０１２】本考案は段差解消とし有用なスロープを製造、販売する産業分野で利用することができる。
【図面の簡単な説明】
【０１３】
【図１】本考案の第１の実施形態に係る、断面図である。
【図２】使用時の断面図
【図３】平面図
【符号の説明】
【０１３】１          ベース枠
２          上枠
３          ちょう番
４          ジャッキレバー
５          床
【図１】
0003119415.tif 000003
【図２】
0003119415.tif 000004
【図３】
0003119415.tif 000005
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
ベース枠を床に埋め込み、そのベース枠に兆番で上板を取り付ける。又ベース枠に、上板を上下させスロープにするための跳ね上げ式のジャッキレバーを取り付けたことを特徴とする、手動式スロープ。
【手続補正書】
【提出日】平成17年11月8日(2005.11.8)
【手続補正１】
【補正対象書類名】実用新案登録請求の範囲
【補正対象項目名】全文
【補正方法】変更
【補正の内容】
【実用新案登録請求の範囲】
【請求項１】
ベース枠を床に埋め込み、そのベース枠に兆番で上板を取り付け、また上板を上下させスロープにするための跳ね上げ式のジャッキレバーを取り付けたことを特徴とする、手動式スロープ。
(57)【要約】      （修正有）【課題】手摺取り付け後必要に応じ、タンス等の引き出しやドア、入り口ドアの利用を可能にする。【解決手段】ドア１０の片側に自在金具１を壁１１にネジ止めする。もう片方に受け金具４を壁１１にネジ止めする。手摺棒９を開口に合わせて切断し、両小口にパイプ７を差込みネジ止めする。その時パイプ７の穴８の位置は９０度変える。片側のパイプ７の穴８を自在金具１のピン２に差込み、ナット３で止める。もう一方のパイプ７を受け金具４にいれ、受け金具４の穴５とパイプ７の穴８に棒６を差し込む。自在金具１、受け金具２、パイプ４を取り付けた手摺棒３の組み合わせにより、取り外しが可能になり、タンスの引き出しやドア、入り口のドアの利用ができる。【選択図】図１
0003119416.tif 000002
【実用新案登録請求の範囲】
【請求項１】
取り外しが容易な、脱着式手摺ブラケットであって、入り口ドアや家具等にとりつけられることを、特徴とする。
【考案の詳細な説明】
【技術分野】
【００１】本考案は、入り口ドアやタンス等に取り付けられる、手摺に関する。
【背景技術】
【００２】従来、タンス等に手摺を付けると、引き出しが利用できなくなったり、ドアが開かなくなったりする。又入り口ドアに於いても同様のことが考えられる。
【考案の開示】
【考案が解決しようとする課題】
【００３】本考案は、手摺取り付け後必要に応じ、タンス等の引き出しやドア、入り口ドアの利用を可能にすることである。
【課題を解決するための手段】
【００４】上述の目的を達成する本考案の脱着式手摺ブラケットは、容易に取り外しできることが、特徴である。
【考案の効果】
【００５】以上説明したように本考案によれば、必要に応じて手摺の取り外しができるためタンス等の引き出しやドア及び入り口ドアの利用が可能である。
【考案を実施するための最良の形態】
【００６】以下、本考案の実施の形態を図面に基づき説明する。【００７】図１〜図５は本考案の形態に係り、図１は入り口ドアに取り付け時の正面図。図２、図３、図４は金具の詳細図、図５はタンス取り付け時の正面図【００８】図１に示すように、ドア１０の片側に自在金具１を壁１１にネジ止めする。もう片方に受け金具４を壁１１にネジ止めする。手摺棒９を開口に合わせて切断し、両小口にパイプ７を差込みネジ止めする。その時パイプ７の穴８の位置は９０度変える。片側のパイプ７の穴８を自在金具１のピン２に差込み、ナット３で止める。もう一方のパイプ７を受け金具４にいれ、受け金具４の穴５とパイプ７の穴８に棒６を差し込む。【００９】図５に示すように、タンス１２の両側に壁から控えを取り板１３を取り付け、その板１３に受け金具４を固定して手摺棒９を取り付けする。
【実施例】
【０１０】容易に取り外しできるため、タンス等や、入り口ドアの利用が可能になる。又手摺棒の長さは、実寸法によることから、脱着式手摺ブラッケットは様々な寸法に対応できる。【０１１】以上、本考案は実施の形態及び実施例を説明したが、本考案の範囲はこれに限定されるものでない。例えば受け金具、自在金具、パイプ等の形態、手摺の取り付け位置取り付け方法など、状況に応じて適宜選択されるものである。
【産業上の利用可能性】
【０１２】本考案は手摺として有用なブラケットを製造、販売する産業分野で利用することができる。
【図面の簡単な説明】
【０１３】
【図１】ドア取り付け時正面図
【図２】自在金具詳細図
【図３】受け金具詳細図
【図４】パイプ詳細図
【図５】タンス取り付け時正面図
【符号の説明】
【０１３】  １          自在金具
２          ピン
３          ナット
４          受け金具
５          穴
６          棒
７          パイプ
８          穴
９          手摺棒
１０          ドア
１１          壁
１２          タンス
１３          板
【図１】
0003119416.tif 000003
【図２】
0003119416.tif 000004
【図３】
0003119416.tif 000005
【図４】
0003119416.tif 000006
【図５】
0003119416.tif 000007
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
一方はネジ切りしたピンを取り付けた凸型の金具を壁に取り付け、通しの２箇所の穴を空けた長さ１００ｍｍ程度のパイプをピンに差込みナットで固定する。もう一方は通しの２箇所の穴を空けたコの字の金具を壁に取り付け、コノ字の中に通しの２箇所の穴を空けた長さ１００ｍｍ程度のパイプを嵌め込み、穴を一直線上にし、棒を差し込み固定したことを特徴とする、脱着式手摺りブラケット。
【手続補正書】
【提出日】平成17年11月8日(2005.11.8)
【手続補正１】
【補正対象書類名】実用新案登録請求の範囲
【補正対象項目名】全文
【補正方法】変更
【補正の内容】
【実用新案登録請求の範囲】
【請求項１】
一方はネジ切りしたピンを取り付けた凸型の金具を壁に取り付け、通しの２箇所の穴を空けた長さ１００ｍｍ程度のパイプをピンに差込みナットで固定し、もう一方は通しの２箇所の穴を空けたコの字の金具を壁に取り付け、コノ字の中に通しの２箇所の穴を空けた長さ１００ｍｍ程度のパイプを嵌め込み、穴を一直線上にし、棒を差し込み固定したことを特徴とする、脱着式手摺りブラケット。
(57)【要約】【課題】使用時に位置ズレを生じるおそれがなくかつ、便座の硬さや冷たさを感じるおそれがない安価な便座カバーを提供することを課題とする。【解決手段】便座に被せる環状のカバーであって、不透水性のシートと、その上に積層した吸水性のシートとよりなり、前記シートはこれを便座に貼り付けるための複数の接着面を備えており、各着面はカバーを折り畳んだとき二つに折り畳まれて剥離可能に接着される位置、または他の接着面と剥離可能に接着される位置に設けられていることを特徴とする。【選択図】    図１
0003119419.tif 000002
【実用新案登録請求の範囲】
【請求項１】
便座に被せる環状のカバーであって、不透水性のシートと、その上に積層した吸水性のシートとよりなり、前記シートはこれを便座に貼り付けるための複数の接着面を備えており、各接着面はカバーを折り畳んだとき二つに折り畳まれて剥離可能に接着される位置、または他の接着面と剥離可能に接着される位置に設けられていることを特徴とする便座カバー。
【考案の詳細な説明】
【技術分野】
【０００１】  本考案は、洋式便器を使用する際に便座の上面に止着する便座カバーに関するものである。
【背景技術】
【０００２】  便座に直接載せて使用する便座カバーとしては、例えば、一枚物の紙シートが知られている。また、プラスチック製の硬くて冷たい便座にはタオル地やスポンジ製の便座カバーが使用されている。しかし、紙シートの便座カバーは比較的安価で使い捨て出来るので便利であるが単に載せるだけであるので使用時に位置ズレを生じ使い難い。また一方のタオル地などの便座カバーは、比較的高くつき汚れると再使用のために洗濯しなければならないので手間がかかるだけでなく、忙しい人にとっては面倒である。
【考案の開示】
【考案が解決しようとする課題】
【０００３】  本考案は、上述した従来の便座カバーの問題点に着目してなされたもので、使用時に位置ズレを生じるおそれがなくかつ、便座の硬さや冷たさを感じるおそれのない安価な便座カバーを提供することを課題とする。
【課題を解決するための手段】
【０００４】  本考案が提供する便座カバーは、便座に被せる環状のカバーであって、不透水性のシートとその上に積層した吸水性のシートとよりなり、前記シートは、これを便座に貼り付ける複数の接着面を備えており、各接着面はカバーを折り畳んだとき二つに折り畳まれて剥離可能に接着される位置または他の接着面に剥離可能に接着される位置に設けられていることを特徴とするものである。
【考案の効果】
【０００５】  本考案の便座カバーは、接着面で便座に取り付けるので、使用時に位置ズレを生じたり脱落するおそれがない。また不透水性のシートに吸水性シートを積層したものであるので、便座の硬さや冷たさを感じなくても済むし、タオル地などを使用しないので安価である。
さらに、使用後には、流し捨てることができる。このため、タオル地のもののように再使用のための洗濯などを必要としないので、手間がかからず忙しい人には好都合である。
【考案を実施するための最良の形態】
【０００６】  以下、本考案を実施するための最良の形態を実施例によって、図面を参照しながら説明する。
図１〜３において、Ｃは実施例の便座をカバーで、便座Ｂに相当する形状と大きさに形成されている。
すなわち、平面形状が楕円形で幅は便座をカバーする大きさになっている。この便座カバーＣは図２示すように不透水性のシート１に吸水性のシート２を積層した構造になっている。シート１は、例えばナイロンシートであり、シート２には不繊布が使用されている。
３，４は、便座カバーＣを便座Ｂに貼り付けて固定するための接着面である。接着面３はカバーＣをＸ−Ｘ線で折り畳んだとき、二つに折り畳まれて剥離可能に接着される。接着面４はカバーＣをＸ−Ｘ線で折り畳んだときお互いに剥離可能に接着される。カバーＣをＹ−Ｙ線で折り畳んだときも同様である。
実施例の便座カバーＣは、上記のような構成となっているので、トイレットに備え付けておく場合は、図１のように広げた状態で重ねておき、１枚ずつ剥離して使用する。携帯する場合は、１枚ずつＸ−Ｘ線、Ｙ−Ｙ線で四つに折り畳んで携帯にする。
【図面の簡単な説明】
【０００７】
【図１】実施例の便座カバーの平面図
【図２】図１の断面拡大図
【図３】図１の便座カバーの使用状態を示す斜視図
【符号の説明】
【０００８】Ｃ  便座カバー
Ｂ  便座
１  不透水性のシート
２  吸水性のシート
３  接着面
４  接着面
【図１】
0003119419.tif 000003
【図２】
0003119419.tif 000004
【図３】
0003119419.tif 000005
(57)【要約】【課題】  本考案は木構造材の接合部のしなりや、きしみを金物と緩衝材が受け止めつつ柱と一体となって強風や地震の外力に対応することによって軸組みの柔軟な補強をする。【解決手段】  本考案は柱と梁、柱と土台、梁と胴差、土台同士の交差部など建物の0003119417.tif 000008された金物端部４に組み付けられた緩衝材６が柱のしなりや、きしみを受け止めつつ、柱と一体となって外力に対して補強をする。【選択図】  図１
0003119417.tif 000002
【実用新案登録請求の範囲】
【請求項１】
0003119417.tif 000007
成形し、二つの鋭角部は逆さＹ字型に成形し、または組み付け固着し先端に耳を設けたところにボルト孔を穿設し、直角部内側にはパイプを横に内接して溶接し、矢印形の平行部になった前記金物の両先端にはボルト孔を穿設し、直角三角形の一辺間位置に緩衝材又はダンパーを組み付けたるを特徴とする木構造用耐震金物
【考案の詳細な説明】
【技術分野】
【０００１】  本考案は木構造用金物に関するものである。
【背景技術】
【０００２】  木構造材の接合部の補強は筋交いや金物で堅固に固定するのが一般的であった。
【考案の開示】
【考案が解決しようとす課題】
【０００３】  筋交いでの補強は開口部をとることになるし、改造補強は手間と時間を用し非常に困難な工事となる。従来の金物での補強は地震や風による柱のしなりやきしみを全部柱の強度で吸収することになり古い柱では強度的に問題が生じてくる。
【問題を解決するための手段】
【０００４】  本考案は柱と梁、柱と土台、梁と胴差し、土台間同士の交差部など、建築物の互いに直交する木造軸組みの入り隅部に設置され、柱のしなりやきしみを緩衝材が受け止めつつ柱と一体となって外力に対応することによって、軸組み構造の柔軟な補強となることによって問題を解決している。
【考案の効果】
【０００５】  上述のように、本考案の木構造用耐震金物は緩衝材を設けたので、軸組み柱の地震や強風によるしなりやきしみを受け止めつつ、軸組み構造の抜けや、はずれを防ぎ、又古い柱でも比較的容易に対応できる。
【考案を実施するための最良の形態】
【０００６】
0003119417.tif 000003
さむ辺を建築物の互いに直交する木造軸組みの入り隅部に設置し、ラグスクリュボルト、
0003119417.tif 000004
の端面平行部には、穴つき円筒形緩衝ゴム又はコイルバネダンパーを片側の端面をはさんで交互に２個取り付け、他方の端面と座金又はリッジカラーをかいしてボルト、スプリングワッシャー、ナットで固定する。又、円筒形緩衝ゴムの両端面にボルトつき円盤を接合固着したるものであれば両端面間に１個取り付けナットで固定する。
【実施例】
【０００７】
0003119417.tif 000005
形したものである。直角をはさむ辺に内接してパイプ２を横に溶接して補強し、鋭角部先端の耳にはボルト穴３を穿設し、金物端部４の片側を挟み込んで交互に、穴つき円筒形緩衝ゴム６を他方の端部４とともに、ボルト７を座金１０とスプリングワッシャー８をかいしてナット９で固着することにより、取り付けられた軸組み柱のしなりや、きしみを受け止めつつ補強する、コイルバネダンパー１１の場合も前記と同様にリッジカラー１２をかいして取り付けられる。さらに、ボルト付き円盤両端接着式円筒緩衝ゴム１３を同様に両端面間に取り付けることによっても補強される。
【図面の簡単な説明】
【０００８】
【図１】本考案の穴つき円筒形緩衝ゴムを組み付けた場合の木構造用耐震金物の斜視図である。
【図２】本考案のコイルバネダンパーを組み付けた場合の木構造用耐震金物の斜視図である。
【図３】本考案のボルト付き円盤両端接着式円筒緩衝ゴムを組み付けた場合の木構造用耐震金物の斜視図である。
【符号の説明】
【０００９】
0003119417.tif 000006
２  直角をはさむ辺に内接して固着したパイプ
３  鋭角部先端の穴に穿設したボルト穴
４  金物端部
５  係止孔
６  穴つき円筒形緩衝ゴム
７  ボルト
８  スプリングワッシャー
９  ナット
１０  座金
１１  コイルバネダンパー
１２  リッジカラー
１３  ボルトつき円盤両端接着式円筒緩衝ゴム
【図１】
0003119417.tif 000009
【図２】
0003119417.tif 000010
【図３】
0003119417.tif 000011